(57)【要約】【課題】  ディスク装置内で破損したディスクが外部に飛び出してしまうことを確実に防止する記録再生装置を備えた電子機器を提供する。【解決手段】  前部の開口された筐体２と、この筐体２の開口された前部に取り付けられるフロントパネル３とで外殻を構成した電子機器１の内部に、記録再生装置１０を備え、開口部４の縁部に凹部５を形成し、凹部５とディスクトレイ１１の上部のボス部１２とをディスクトレイ１１の出入方向に対向して配置する。これにより、ディスクＤの回転時に、凹部５とボス部１２とを電子機器１の幅方向に並設させ、フロントパネル３とディスクトレイ１１の前部とにより、開口部４からディスクＤの破片が外部に飛び出さないように、フロントパネル３とディスクトレイ１１との間の隙間を閉じるように配置し、ディスクＤの破片が電子機器１の外部に飛び出すことを防止する。【選択図】    図２
2006179150.tif 000002
【特許請求の範囲】
【請求項１】
前部の開口された筐体と、この筐体の開口された前部に取り付けられるフロントパネルとで外殻を構成した電子機器の内部に、ディスクを載置するディスクトレイと、前記ディスクトレイに載置したディスクを回転駆動するターンテーブルとを少なくとも有する記録再生装置を備えた電子機器であって、前記ディスクトレイの出入される前記フロントパネルに形成された開口部の縁部に凹部を形成し、前記凹部と前記ディスクトレイの上部に設けられた凸状のボス部とを前記ディスクトレイの出入方向に対向して配置し、前記ターンテーブルによる前記ディスクの回転駆動時に、前記凹部と前記ボス部とを前記電子機器の幅方向に並設させ、前記凹部の形成されたフロントパネルと前記ボス部の設けられた前記ディスクトレイの前部とにより、前記開口部から前記ディスクの破片が外部に飛び出さないように、前記フロントパネルと前記ディスクトレイとの間の隙間を閉じるようにしたことを特徴とする記録再生装置を備えた電子機器。
【請求項２】
前記開口部に、この開口部を閉じる開閉扉を配置したことを特徴とする請求項１記載の記録再生装置を備えた電子機器。
【請求項３】
前記開閉扉は回動自在に設けられ、弾性体の付勢力により前記開口部を閉成することを特徴とする請求項２記載の記録再生装置を備えた電子機器。
【請求項４】
前記開閉扉を保持する着脱自在な取付手段を設けたことを特徴とする請求項３記載の記録再生装置を備えた電子機器。
【請求項５】
前記取付手段は、前記フロントパネルに設けた嵌合凹部と、この嵌合凹部に取り付ける前記開閉扉に設けた凸状の軸部としたことを特徴とする請求項４記載の記録再生装置を備えた電子機器。
【発明の詳細な説明】
【技術分野】
【０００１】
本発明は、ＤＶＤなどの記録媒体としてのディスクを記録再生可能な記録再生装置を備えた電子機器に関し、より詳しくは、記録や再生の為に回転するディスクが破損した際に、その破片が電子機器の外部に飛び出すこと防止する記録再生装置を備えた電子機器に関する。
【背景技術】
【０００２】
従来から、モータなどの駆動源を有するトレイ開閉機構によって、ディスクの載置されたディスクトレイを筐体内に格納し、ディスクをディスクトレイから浮き上がらせた状態で回転させ、記録や再生を行うディスク装置を備えたＤＶＤレコーダやテレビジョン受像機などの電子機器が用いられている。こうした電子機器として、特許文献１には、光ディスクの記録や再生状態である回転時に、損傷を生じた光ディスクが砕けてしまいディスク装置の外部に飛散してしまうことを防止するため、光ディスクの外周縁部の近傍にディスクの形状に対応した円弧状の突条を配置させ、回転状態にある光ディスクが破損した際にその破損片が外部に飛び出すことを防止する光ディスク装置が開示されている。
【０００３】
【特許文献１】特開２００２−１３３８５２号公報
【発明の開示】
【発明が解決しようとする課題】
【０００４】
しかし、上記特許文献１においては、割れたディスクが飛び出すことがないようにするために、突条を設けてはいるものの、ディスクは高速回転すること、及びディスク装置の周縁部の近傍に突条が配置されているので、回転しているディスクが破損してしまうと、ディスクの破片は、行き場所を失ってしまい突条を乗り越え外部に飛び出してしまう虞がある。
【０００５】
本発明は、上記課題を鑑みてなされたものであり、ディスク装置内で破損したディスクが外部に飛び出してしまうことを確実に防止する記録再生装置を備えた電子機器を提供することを目的とする。
【課題を解決するための手段】
【０００６】
本発明の請求項１の記録再生装置を備えた電子機器は、前部の開口された筐体と、この筐体の開口された前部に取り付けられるフロントパネルとで外殻を構成した電子機器の内部に、ディスクを載置するディスクトレイと、前記ディスクトレイに載置したディスクを回転駆動するターンテーブルとを少なくとも有する記録再生装置を備えた電子機器であって、前記ディスクトレイの出入される前記フロントパネルに形成された開口部の縁部に凹部を形成し、前記凹部と前記ディスクトレイの上部に設けられた凸状のボス部とを前記ディスクトレイの出入方向に対向して配置し、前記ターンテーブルによる前記ディスクの回転駆動時に、前記凹部と前記ボス部とを前記電子機器の幅方向に並設させ、前記凹部の形成されたフロントパネルと前記ボス部の設けられた前記ディスクトレイの前部とにより、前記開口部から前記ディスクの破片が外部に飛び出さないように、前記フロントパネルと前記ディスクトレイとの間の隙間を閉じるようにしたことを特徴とする。
【０００７】
請求項１により、電子機器の外郭を構成するフロントパネルとディスクトレイの前部とによって、フロントパネルとディスクトレイとの間の隙間から破損したディスクの破片が外部に飛び出すことを防止することができるので、ユーザーなどが電子機器を使用した際に、不測の事態によってディスクが破損してしまい、そのディスクの破片が電子機器の外部に飛び出してしまうことを防止することができる。
【０００８】
本発明の請求項２の記録再生装置を備えた電子機器は、請求項１記載の記録再生装置を備えた電子機器において、前記開口部に、この開口部を閉じる開閉扉を配置したことを特徴とする。
【０００９】
請求項２の構成により、開閉扉によりフロントパネルの開口部を閉じることで、ディスクの破片が電子機器の外部に飛散してしまうことをより一層確実に防止することができる。また、フロントパネルの開口部に開閉扉を配置することによって、電子機器の内部が開口部より露出することを防止出来るので、電子機器の外観意匠の美感が損なわれることはない。
【００１０】
本発明の請求項３の記録再生装置を備えた電子機器は、請求項２記載の記録再生装置を備えた電子機器において、前記開閉扉は回動自在に設けられ、弾性体の付勢力により前記開口部を閉成することを特徴とする。
【００１１】
請求項３の構成により、弾性体の付勢力により開口部に開閉扉を閉成させることで、電子機器の外部へのディスクの破片の飛散を防止できると共に、外部から電子機器内への埃などの異物の進入を防止できる。さらに、弾性体の付勢力に抗してディスクトレイが開口部から出入されることで、部品点数の少ない簡単な構造で開閉扉の開閉作動を実現することができる。
【００１２】
本発明の請求項４の記録再生装置を備えた電子機器は、請求項３記載の記録再生装置を備えた電子機器において、前記開閉扉を保持する着脱自在な取付手段を設けたことを特徴とする。
【００１３】
請求項４の構成により、着脱可能な開閉扉を装着することができるから、開閉扉が破損したとしても簡単に開閉扉の交換をして、ディスクの破片が電子機器の外部に飛び出してしまうことを防止することができる。
【００１４】
本発明の請求項５の記録再生装置を備えた電子機器は、請求項４記載の記録再生装置を備えた電子機器において、前記取付手段は、前記フロントパネルに設けた嵌合凹部と、この嵌合凹部に取り付ける前記開閉扉に設けた凸状の軸部としたことを特徴とする。
【００１５】
請求項５の構成により、嵌合凹部に軸部を取り付け、フロントパネルに開閉扉を繰り返し装着することができるから、開閉扉が破損したとしても別の開閉扉に交換をすることができ、ディスクの破片が電子機器の外部に飛び出してしまうことを防止することができる。
【発明の効果】
【００１６】
本発明の請求項１の記録再生装置を備えた電子機器によれば、前部の開口された筐体と、この筐体の開口された前部に取り付けられるフロントパネルとで外殻を構成した電子機器の内部に、ディスクを載置するディスクトレイと、前記ディスクトレイに載置したディスクを回転駆動するターンテーブルとを少なくとも有する記録再生装置を備えた電子機器であって、前記ディスクトレイの出入される前記フロントパネルに形成された開口部の縁部に凹部を形成し、前記凹部と前記ディスクトレイの上部に設けられた凸状のボス部とを前記ディスクトレイの出入方向に対向して配置し、前記ターンテーブルによる前記ディスクの回転駆動時に、前記凹部と前記ボス部とを前記電子機器の幅方向に並設させ、前記凹部の形成されたフロントパネルと前記ボス部の設けられた前記ディスクトレイの前部とにより、前記開口部から前記ディスクの破片が外部に飛び出さないように、前記フロントパネルと前記ディスクトレイとの間の隙間を閉じるようにしたものであり、フロントパネルとディスクトレイとの間の隙間から破損したディスクの破片が外部に飛び出すことを防止することができ、電子機器を使用するユーザーに破片が当たって怪我などを引き起こすことを防止した安全性を向上させた電子機器を提供することができる。
【００１７】
本発明の請求項２の記録再生装置を備えた電子機器によれば、請求項１記載の記録再生装置を備えた電子機器において、前記開口部に、この開口部を閉じる開閉扉を配置したので、フロントパネルの開口部を開閉扉により、ディスクの破片が電子機器の外部に飛散してしまうことを確実に防止し、より一層安全な電子機器を提供することができる。また、電子機器の内部が開口部より露出することを防止出来るので、電子機器の外観意匠の美感を向上することができる。
【００１８】
本発明の請求項３の記録再生装置を備えた電子機器によれば、請求項２記載の記録再生装置を備えた電子機器において、前記開閉扉は回動自在に設けられ、弾性体の付勢力により前記開口部を閉成するので、電子機器の外部にディスクの破片の飛散を防止できると共に、外部から電子機器内への埃などの異物の進入を防止できる。また、弾性体の付勢力に抗してディスクトレイが開口部から出入されることで、簡単に開閉扉の開閉を行うことができるので、複雑な機構を有さない部品点数の削減を図った安価な電子機器を実現することができる。
【００１９】
本発明の請求項４の記録再生装置を備えた電子機器によれば、請求項３記載の記録再生装置を備えた電子機器において、前記開閉扉を保持する着脱自在な取付手段を設けたので、開閉扉が破損した際に開閉扉の交換を行うことができるので、その交換作業を簡単に行うことができ、なお且つディスクの破片が電子機器の外部に飛び出してしまい、こういった不測の事態によりユーザーなどが怪我を負うことを防止することができる。
【００２０】
本発明の請求項５の記録再生装置を備えた電子機器によれば、請求項４記載の記録再生装置を備えた電子機器において、前記取付手段は、前記フロントパネルに設けた嵌合凹部と、この嵌合凹部に取り付ける前記開閉扉に設けた凸状の軸部としたものであり、嵌合凹部に軸部を取り付けることにより、フロントパネルに開閉扉を繰り返し装着することが可能となり、開閉扉の破損時に別の開閉扉に簡単に交換をすることができると共に、ディスクの破片が電子機器の外部に飛び出すことを防止でき、ユーザーなどは安全に電子機器を使用することができる。
【発明を実施するための最良の形態】
【００２１】
以下、本発明を実施するための最良の形態としての実施例を図１〜図８に基づき以下に説明する。もちろん、本発明は、その発明の趣旨に反しない範囲で、実施例において説明した以外の構成のものに対しても容易に適用可能なことは説明を要するまでもない。
【００２２】
図１は本実施例における記録再生装置を備えた電子機器の正面図、図２は開閉扉を取り外した状態を示す電子機器の正面図、図３はディスクトレイの収納された状態を示す電子機器の断面図、図４はディスクトレイの排出された状態を示す電子機器の断面図、図５はディスクトレイを上方から視た状態を示す平面図、図６はディスクトレイの側面図、図７はディスクトレイの断面図、図８は電子機器の要部拡大断面図である。
【００２３】
図１に示す電子機器１は、ＤＶＤ（Digital Versatile Disk）などの記録媒体たるディスクＤを記録再生するもので、筐体２の前部にフロントパネル３が取り付けられ、電子機器１の外殻がほぼ箱型に形成されている。
【００２４】
図２〜図４に示すように、筐体２とフロントパネル３からなる電子機器１の外郭の内部には、記録再生装置１０が設けられており、この記録再生装置１０には電子機器１の内外に出入されるディスクトレイ１１を備え、図５〜図７に示すように、ディスクトレイの先端の上部に上方に突出したボス部１２が一体に設けられている。そして、図示しないモータやギアなどから構成されるディスクトレイ開閉駆動機構１３によって、ディスクトレイ１１はフロントパネル３に形成された開口部４から出入される。
【００２５】
また、記録再生装置１０には、ディスクＤを載置しディスクトレイ１１を収容した状態において、ディスクトレイ１１からディスクＤを浮き上がらせて高速回転駆動するターンテーブル１４が設けられている。なお、本発明の一例の電子機器１は、ディスクＤの記録及び再生の両機能を有しているが、特にこれに限定するものではなく、記録又は再生の何れか一方の機能を有するものであってもよい。
【００２６】
また、本実施例における電子機器１は、再生や記録状態にあるディスクＤが高速で回転している時に、ディスクＤが破損し飛散すると、ボス部１２の設けられたディスクトレイ１１の前部及び凹部５の形成されたフロントパネル３にディスクＤの破片が遠心力により飛び出して接触することから、ボス部１２の設けられたディスクトレイ１１の前部及び凹部５の形成されたフロントパネル３をディスクＤと離間して配置することにより、従来のように、高速回転されるディスクＤの近傍に突条を設けることで、ディスクＤの破片が突条に勢いよく接触してしまい外部にディスクＤの破片が飛び出す虞を解消することが可能である。
【００２７】
なお、ボス部１２は、ディスクトレイ１１の先端の上部であってディスクトレイ１１の幅方向に２つ並べて設け、これらボス部１２が、ターンテーブル１４により高速回転されるディスクＤと極力離間して配置することにより、ディスクトレイＤの破片は、ボス部１２とディスクＤとの間に有する空間部などに回転駆動され行き場を失ったディスクＤの破片を堆積することができ、前述したディスクトレイ開閉駆動機構１３などに破片が接触してしまって破損することを防止することが可能となっている。
【００２８】
また、フロントパネル３に形成された開口部４の上縁部には、図２に示すように、ディスクトレイ１１のボス部１２に対応して凹部５を形成し、この凹部５は、電子機器１を正面から視た状態において、ディスクトレイ１１のボス部１２の幅及び高さとほぼ同一の寸法になっており、ボス部１２と凹部５とは前後に対向するように配置されていて、ターンテーブル１４によるディスクＤの回転駆動状態時に、ディスクトレイ１１の挿入／排出方向と直交する電子機器１の幅方向に並列させ、フロントパネル３とディスクトレイ１１とにより記録再生装置１０の前部を閉じるように構成し、回転時に破損したディスクＤの破片が、電子機器１の外部に飛び出すことを防止することが可能となっている。
【００２９】
さらに、図８に示すように、フロントパネル３の開口部４に開閉扉１５を配置し、より詳しくは、開閉扉１５を筐体２などに回動自在に取り付けると共に、開閉扉１５の軸部１７に取り付けたスプリング２０などの弾性体により、開口部４に開閉扉１５を閉塞した状態で配置するので、ディスクＤが細かく砕けても、このような破片が、開口部４から電子機器１の外部に飛散することを防止することができる。なお、開閉扉１５は、ディスクトレイ１１が排出される際、ディスクトレイ１１の前部が、開閉扉１５の裏面をスプリング２０の付勢力に抗して押し出すことにより開閉する。
【００３０】
以上のように、本実施例の電子機器１は、ディスクトレイ１１の出入されるフロントパネル３に形成された開口部４の縁部に凹部５を形成し、凹部５とディスクトレイ１１の上部に設けられた凸状のボス部１２とをディスクトレイ１１の出入方向に対向して配置し、ターンテーブル１４によるディスクＤの高速回転時に、凹部５とボス部１２とを電子機器１の幅方向に並設させ、凹部５の形成されたフロントパネル３とボス部１２の設けられたディスクトレイ１１の前部とにより、開口部４からディスクＤの破片が外部に飛び出さないように、フロントパネル３とディスクトレイ１１との間の隙間を閉じるように構成したものである。これにより、フロントパネル３とディスクトレイ１１の前部とによって、フロントパネル３とディスクトレイ１１との間の隙間から破損したディスクＤの破片が電子機器の外部に飛び出すことを防止することができる。つまり、ユーザーなどが電子機器１を使用している際に、予測し得ない事態によってディスクＤが破損した場合に、この破片が電子機器１の外部に飛び出してしまうことを防止することができるので、ユーザーなどに破片が当たって怪我をすることを回避できる安全な電子機器１を提供することができる。
【００３１】
さらに、開口部４に、この開口部４を閉じる開閉扉１５を配置したので、ディスクＤの回転時に、このディスクＤの細かく砕けてしまった破片が、電子機器１の外部に飛散してしまうことを一層確実に防止することができる。また、フロントパネル３の開口部４に開閉扉１５を配置することによって、電子機器１の内部が開口部４より露出することを防止出来るので、電子機器１の外観意匠の美感を向上することが可能となる。
【００３２】
開閉扉１５は筐体２などに回動自在に設けられ、筐体２に固定されたスプリング２０などの弾性体の付勢力により開口部４を閉成することで、電子機器１の外部へのディスクＤの破片の飛散を防止できると共に、外部から電子機器１内への埃などの異物の進入を防止できる。また、スプリング２０の付勢力に抗してディスクトレイ１１が開閉扉１５の後部を電子機器１の外側に向かって押し出して出入されるので、すなわち、ディスクトレイ１１の出入される搬送動作に合わせて開閉扉１５の適時開閉動作を行うことが可能となり、部品点数の少ない簡単な構造で開閉扉１５の開閉作動を行うことができる。よって、部品点数の削減を図った安価な電子機器１を実現することができる。
【００３３】
さらに、開閉扉１５を保持する着脱自在な取付手段を設け、例えば取付手段をフロントパネル３に設けた嵌合凹部１６と、この嵌合凹部１６に取り付ける開閉扉１５に設けた凸状の軸部１７とした際、嵌合凹部１６に軸部１７を取り付けるなどして、フロントパネル３に開閉扉１５を繰り返し装着することができるから、開閉扉１５が破損したとしても別の開閉扉に簡単に交換することができる。
【００３４】
また、金型によりディスクトレイ１１にボス部１２を一体に成形した際には、ディスクＤの破片の飛散を防止する別ピースの部材をディスクトレイ１１などに組み付ける必要がなくなるので、組み付け作業の負担を削減でき、コストダウンを図ることができる。
【００３５】
また、フロントパネル３とディスクトレイ１１とにより記録再生装置１０の前部を閉じるように構成せずに、例えばこれらの間に隙間を有していても、記録再生装置１０に収納されるディスクＤの厚さより隙間を小さくすれば、電子機器１の外部への隙間より厚さの大きいディスクＤの破片の飛散を防止することが可能となり、ディスクＤの破片が隙間に潜り込む事を防ぐことができる。
【００３６】
以上、本発明の実施例について詳述したが、本発明は、前記実施例に限定されるものではなく、本発明の要旨の範囲内で種々の変形実施が可能である。例えば、ディスクトレイ１１のボス部１２は２つ設けられているが、特にこれに限定するものではなく、その数は３つ、４つ又は５つ以上など複数であれば、適宜選定すればよい。
【図面の簡単な説明】
【００３７】
【図１】本実施例における記録再生装置を備えた電子機器を示す正面図である。
【図２】同上、開閉扉を取り外した状態を示す電子機器の正面図である。
【図３】同上、ディスクトレイの収納された状態を示す電子機器の断面図である。
【図４】同上、ディスクトレイの排出された状態を示す電子機器の断面図である。
【図５】同上、ディスクトレイを上方から視た状態を示す平面図である。
【図６】同上、ディスクトレイの側面図である。
【図７】同上、ディスクトレイの断面図である。
【図８】同上、電子機器の要部拡大断面図である。
【符号の説明】
【００３８】
１  電子機器
２  筐体
３  フロントパネル
４  開口部
５  凹部
１０  記録再生装置
１１  ディスクトレイ
１２  ボス部
１４  ターンテーブル
１５  開閉扉
１６  嵌合凹部
１７  軸部
２０  スプリング（弾性体）
Ｄ  ディスク
【図１】
2006179150.tif 000003
【図２】
2006179150.tif 000004
【図３】
2006179150.tif 000005
【図４】
2006179150.tif 000006
【図５】
2006179150.tif 000007
【図６】
2006179150.tif 000008
【図７】
2006179150.tif 000009
【図８】
2006179150.tif 000010